(57)【特許請求の範囲】
【請求項１】
第１係合手段（１１Ａ）と、ハンドルの長さに沿った内ねじ（１２Ａ）を含む細長い空洞（１５）とを有するハンドル（１０）と、
コルクスクリューの後端部に固定されて前記空洞（１５）に受け入れ可能なヘッド（２２）を有する別体のコルクスクリュー（２０）と
を含むコルク栓抜き（１００）であって、
前記ヘッド（２２）は、前記ハンドルを回すことによってワイン・ボトルのコルクの中に前記コルクスクリューをねじ込むことができるように、前記ハンドルに対する前記コルクスクリューの回転に対抗する、前記ハンドルの前記第１係合手段（１１Ａ）と解放可能に係合するための第２係合手段（２２ＡＡ）と、前記内ねじ（１２Ａ）と螺合可能な外ねじ（２２ＢＢ）とを有し、
前記コルクスクリューの先端を前記空洞とは反対の方向に向けて前記第１係合手段と前記第２係合手段を係合させ、前記ハンドルを時計方向に回転させて、前記コルクスクリューをコルクの中にねじ込んだ後、前記第１係合手段と前記第２係合手段の係合を外し、前記ハンドルの前記内ねじを前記外ねじと螺合させ、前記ハンドルを時計方向に回転させて、前記ハンドルをボトルのリップに接触させ、更に、前記ハンドルを時計方向に回転させて前記コルクスクリュー（２０）を前記空洞（１５）の中に移動させ、前記コルクを前記ボトルから除去する、及び、
前記コルクスクリュー（２０）の先端を前記空洞（１５）の方に向けて前記ヘッド（２２）の前記外ねじ（２２ＢＢ）を前記空洞（１５）の前記内ねじ（１２Ａ）にねじ込むことによって、前記コルクスクリューを前記空洞の中に収納する、
コルク栓抜き。
【請求項２】
前記ハンドル（１０）が細長く、また対向する開放された第１端部（１１）と開放された第２端部（１２）とを有し、前記第１係合手段（１１Ａ）が前記第１端部（１１）で位置決めされ、前記空洞（１５）が前記第１係合手段（１１Ａ）からハンドルの長さに沿って前記第２端部（１２）まで延びている、請求項１に記載のコルク栓抜き。
【請求項３】
前記ハンドル（１０）が実質的に管状である、請求項２に記載のコルク栓抜き。
【請求項４】
前記第１および第２係合手段（１１Ａ，２２ＡＡ）が互いに係合可能なキー溝を含む、請求項１に記載のコルク栓抜き。
【請求項５】
前記ハンドル（１０）が実質的に管状であり、また内側周囲表面がキー溝（１１Ａ）を含む開放端部（１１）を有する、請求項４に記載のコルク栓抜き。
【請求項６】
前記ヘッド（２２）が、外側表面に前記第２係合手段（２２ＡＡ）を含む円筒状上部分（２２Ａ）と、外側表面に前記外ねじ（２２ＢＢ）を含む半径方向に拡大された円筒状下部分（２２Ｂ）とを有し、前記コルクスクリューが前記円筒状下部分（２２Ｂ）から下向きに突き出ている、請求項１に記載のコルク栓抜き。
【請求項７】
自由に回転するように前記ハンドルによって支持され、前記ボトルのキャップ・シールを切るための露出した切刃（３１Ａ）を有するカッティング・ディスク（３１）を含む、請求項１に記載のコルク栓抜き。
【請求項８】
前記ハンドルは実質的に円筒状であり、前記ハンドルと実質的に直角をなす軸（３２）の周りで回転自在に前記カッティング・ディスクを支持する肩部（１６）を形成するように断面が縮小された端部（１１）を含む、請求項７に記載のコルク栓抜き。
【請求項９】
前記ハンドルの前記端部（１１）が、前記コルクを圧迫して前記キャップ・シールを切るための前記カッティング・ディスク（３１）を位置決めするために、該カッティング・ディスクに隣接するガイド部材（３３）を含む、請求項８に記載のコルク栓抜き。
【発明の詳細な説明】
【０００１】
【発明の属する技術分野】
本発明は、コルクスクリューを組み込んだコルク栓抜きに関する。
【０００２】
【従来の技術】
多くのデザインの、コルクスクリューを組み込んだコルク栓抜きが入手可能である。あるコルクスクリューは別体であり、コルク栓抜きの残りの部分に固定することができず、それにより、収納に不便であり、また、鋭利な端部を有することが多いコルクスクリューが露出している場合には安全でない。
【０００３】
【発明が解決しようとする課題】
本発明は、改善されたコルク栓抜きを提供することによってこのような問題を軽減または少なくとも緩和することを試みるものである。
【０００４】
【課題を解決するための手段】
本発明によれば、１本のハンドルと別体のコルクスクリューとを有し、このハンドルは第１係合手段とハンドルの長さに沿って内ねじを含む細長い空洞とを有し、コルクスクリューはこの後端部に固定されて空洞によって受け入れ可能なヘッドを有する、コルク栓抜きが提供される。ヘッドは、ハンドルを回すことによってコルクスクリューをワイン・ボトルのコルクの中にねじ込むことができるように、ハンドルに対するコルクスクリューの回転に対抗する第１係合手段と解放可能に係合するための第２係合手段を有する。ヘッドは、空洞に受け入れられている間、空洞の内ねじと引き続いて係合するための外ねじを含み、こうしてハンドルの回転に応じてコルクスクリューを空洞の中に移動させることができ、これによって前記コルクを前記ボトルから抜くことになる。ヘッドはコルクスクリューの先端を空洞の方に向けて該空洞内に受け入れ可能であり、これらのねじを互いに係合させてコルクスクリューを空洞の中に収納する。
【０００５】
ハンドルが細長く、また、対向する開放された第１端部と開放された第２端部とを有し、第１係合手段が第１端部で位置決めされ、空洞が第１係合手段からハンドルの長さに沿って第２端部まで延びていることが好ましい。
【０００６】
ハンドルが実質的に管状であることがさらに好ましい。
【０００７】
好ましい一実施形態では、第１および第２係合手段は互いに係合可能なキー溝を含む。
【０００８】
ハンドルが実質的に管状であって開放端部を有し、開放端部の内周表面がキー溝を含むことがさらに好ましい。
【０００９】
ヘッドが円筒状上部分を有し、外側表面に第２係合手段を含む円筒状上部分と、外側表面に外部ねじを含む半径方向に拡大された円筒状下部分とを有し、コルクスクリューが下部分から下向きに突き出ていることが好ましい。
【００１０】
好ましい一実施形態では、コルク栓抜きは自由に回転するためにハンドルによって支持されたカッティング・ディスクを含み、このディスクが前記ボトルのキャップ・シールを切るための露出した切刃を有する。
【００１１】
ハンドルは実質的に円筒状であり、ハンドルと実質的に直角をなす軸の周りで回転自在にカッティング・ディスクを支持する肩部を形成するように断面が縮小された端部を含むことがさらに好ましい。
【００１２】
ハンドルの端部が、前記コルクを圧迫して前記キャップ・シールを切るためのカッティング・ディスクを位置付けるための、カッティング・ディスクに隣接するガイド部材を含むことがさらに好ましい。
【００１３】
以下に本発明を添付の図面を参照して例示としてのみより詳細に説明する。
【００１４】
【発明の実施の形態】
図面を参照すると、管状のハンドル１０とワイン・ボトル４０のコルク４１の中に突き刺すためのらせん状コルクスクリュー２０を含む、本発明によるコルク栓抜き１００が示されている。コルクスクリュー２０はハンドル１０とは分離された物品である。コルク４１を封止している錫製キャップ・シール４２を切るために回転式カッタ３０が含まれている。
【００１５】
ハンドル１０は、掴み易くするためにローレットが付けられた、または他の方法でリブと溝１０ＡＡが交互に形成された円筒状の外部表面１０Ａを有し、またその長さに沿ってねじ１０ＢＢが形成された円筒状の内側表面１０Ｂを含む。ハンドル１０の開放された第１端部１１は直径が僅かに小さくなっており、この内側表面上にはキー溝１１Ａが形成されている。ハンドル１０の反対側の開放された第２端部１２はハンドル本体と同じ断面を有し、ここまでねじ１０ＢＢはねじ１２Ａとして延びている。
【００１６】
ハンドル１０は１つの仕切り１３を含み、この仕切り１３は、ハンドルの第２端部１２よりもハンドルの第１端部１１にずっと近い位置においてハンドル１０の内部で横断方向に延在している。仕切り１３は中央孔１３Ａを有し、ハンドル１０の内部を短い空洞１４と長い空洞１５とに区分し、これらはそれぞれハンドルの端部１１と１２において開いている。空洞１４、１５の内側周囲表面はそれぞれ完全にキー溝１１Ａおよびねじ１０ＢＢによって占められている。
【００１７】
コルクスクリュー２０は、その上端部すなわち後端部に同軸に固定された円形ヘッド２２を含む。ヘッド２２は円筒状上部分２２Ａを有し、円筒状上部分２２Ａの外側表面にはキー溝２２ＡＡが形成され、また上部分２２Ａと同軸の下部分２２Ｂを含み、この下部分２２Ｂは半径方向に拡大されており、その外側表面にはねじ２２ＢＢが形成されている。
【００１８】
ヘッドの上部分２２Ａは、ハンドルの第１端部１１すなわち空洞１４の開口部よりも僅かに小さな直径を有し、これらのキー溝２２ＡＡおよび１１Ａによって開口部の中に係合する。この結果、コルク栓抜き１００は第１動作構成（図３）となり、この場合、コルクスクリュー２０はハンドル１０から同軸方向に延びており、相対回転に対してハンドル１０に固定されている。この構成では、ハンドル１０を掴んで時計回りに回転させる使用者がコルクスクリュー２０をボトルのコルク１４の中に押し込むことができる。
【００１９】
ヘッドの下部分２２Ｂは、ハンドルの第２端部１２すなわち空洞１５の開口よりも僅かに小さな直径を有し、これらのねじ２２ＢＢ、１０ＢＢによって開口の中に係合する。この結果、コルク栓抜き１００は第２動作構成（図４）となり、この場合、コルクスクリュー２０はハンドル１０に対して同軸方向に、第１動作構成と比較して反対方向に延びている。また、ここではコルクスクリュー２０は、ねじ２２ＢＢとねじ１０ＢＢとの間のねじ作用によってハンドル１０に対して回転可能である。
【００２０】
コルクスクリュー２０がボトルのコルク４１の中に完全に押し込まれると（図３）、ハンドル１０はコルクスクリューのヘッド２２から取り外される。それからハンドル１０を上下反転してヘッド２２に再び連結し、このときハンドルの反対側の端部１２をヘッドの下部分２２Ｂの上で時計方向にねじ込むことによって使用する。ハンドルの端部１２は下向きに移動し、同時にヘッド２２を取り囲み、やがてボトル４０のリップ４３に接触することになる。
【００２１】
継続的な回転によって、ハンドル１０がボトルのリップに接触してもはや下方へ移動できなくなると、代りにスクリューのヘッド２２はねじ２２ＢＢとねじ１０ＢＢとの間のねじ作用によってハンドル１０の中へ上向きに移動する。これを行うとき、ヘッド２２は上向きに空洞１５の長さを通じてこれに沿って移動し、この結果コルク４１をボトル４０から引き抜く（図４）。
【００２２】
空洞１５は、スクリューのヘッド２２が仕切り１３によって止められる前に、コルク４１全体が自由になるときそれを受け入れるのに十分な長さとすることができ、そうでない場合には、コルク４１がすでに外向きにかなり引き抜かれているので、これを単に手で後から引き出すことができる。コルク４１をボトル４０から除去した後に、これをコルクスクリュー２０から反時計回りにねじって外すことができる。
【００２３】
コルクスクリュー２０をハンドルの端部１２を通じてより長い空洞１５の中に挿入して、それから追従するコルクスクリューのヘッド２２を時計方向に回してねじ２２ＢＢとねじ１２Ａとの間のねじ作用によってハンドルの端部１２の中に入れることによって、コルクスクリュー２０をハンドル１０の内部に収納することができる（図５）。これを行うと、ヘッド２２は、コルク４１を引き出すための第２動作構成と比較して反対の方向にコルクスクリュー２０を収納するために空洞１５によって受け入れられる。ハンドル１０はコルクスクリュー２０全体を受け入れるために十分に長く、コルクスクリュー２０は仕切り１３の開口１３Ａを通じて延びている。
【００２４】
キャップ・シール・カッタ３０は、カッティング・ディスク３１とこのためのピン３２とを含む。ハンドルの第１端部１１は小さくなった直径または断面を有し、片側にシート１６Ａを含む環状肩部１６を形成し、このシートの上にディスク３１が、ハンドル１０の縦軸に直角な軸の周りに自由に回転するように、ピン３２によって支えられている。ディスク３１は、肩部１６の先に突き出ることによって露出した切刃３１Ａを有し、これによって上述のようにコルク４１を取り外す前にボトル４０のキャップ・シール４２（図２）を切る。
【００２５】
ハンドルの第１端部１１は、傾斜したプレート３３の形をなす統合ガイド部材を含み、このガイド部材は軸方向にハンドルの端部１１に沿ってカッティング・ディスク３１の片側に隣接して延びている。プレート３３は、コルク４１の最外端部を圧迫してキャップ・シール４２を切るためにディスク３１を位置付けるための当接部として働く。
【００２６】
第１動作構成においてコルクスクリュー２０をハンドル１０に固定するための相互係合手段が、コルクスクリュー２０をハンドル１０に対して回転させないものであれば、キー溝１１Ａ、２２ＡＡ以外のどのような形でも取ることができることが考えられている。代替案としては、どのような非円形かみ合い断面も含まれる。
【００２７】
また、コルクスクリュー２０を、ハンドル１０の他のどの部分にも、またこれに対して他のどの方向でも連結することができ、例えば直角でその中間長さに連結して、これによってＴ形構造を形成して、コルクスクリュー２０をコルク４１の中に刺し込み易くする。
【００２８】
ハンドル１０の外側表面１０Ａが円形の断面を有する必要がないことは明らかである。
【００２９】
本発明を例示としてのみ説明したが、添付の特許請求の範囲に明記するように、当業者なら本発明の範囲から逸脱することなく説明した実施形態に対して別のさまざまな改訂および／または変更を行うことができる。
【図面の簡単な説明】
【図１】ハンドルと、コルクスクリューと、カッタ（取り外されている）とを有する、本発明によるコルク栓抜きの一実施形態の斜視図である。
【図２】ワイン・ボトルのキャップ・シールを切るために図１に示したカッタをどのように使用するかを示す、側面図である。
【図３】図１に示したコルクスクリューをボトルのコルクにどのように押し込むかを示す、部分側断面図である。
【図４】図３に示すコルクスクリューを次にどのように引いてボトルからコルクを取り外すかを示す、側断面図である。
【図５】収納構成を示す図１のコルク栓抜きの側断面図である。
【図６】図５のコルク栓抜きの斜視図である。
【符号の説明】
１０  管状のハンドル
１０Ａ  円筒状の外側表面
１０Ｂ  円筒状の内側表面
１０ＢＢ  ねじ
１１  ハンドル１０の開放された第１端部
１１Ａ  キー溝
１２  ハンドル１０の開放された第２端部
１２Ａ  ねじ
１３  仕切り
１３Ａ  中央孔
１４  短い空洞
１５  長い空洞
１６  環状肩部
１６Ａ  シート
２０  コルクスクリュー
２２  円形ヘッド
２２Ａ  ヘッド２２の円筒状上部分
２２ＡＡ  キー溝
２２Ｂ  ヘッド２２の円筒状下部分
２２ＢＢ  ねじ
３０  キャップ・シール・カッタ
３１  カッティング・ディスク
３１Ａ  切刃
３２  ピン
３３  プレート
４０  ワイン・ボトル
４１  コルク
４２  キャップ・シール
４３  リップ
１００  コルク栓抜き
【図１】
0004175906.tif 000002
【図２】
0004175906.tif 000003
【図３】
0004175906.tif 000004
【図４】
0004175906.tif 000005
【図５】
0004175906.tif 000006
【図６】
0004175906.tif 000007